(57)【特許請求の範囲】
【請求項１】
周壁の後部上端に蓋板９を開閉自在に連設し、周壁の前部を上端から切り込んで形成した揺動片１１の先端に差込片１２を設け、蓋板９の先端に折曲片１０を連設して、折曲片１０の基部から蓋板９へ切れ込む差込穴１６を形成し、蓋板９を閉じ、揺動片１１の揺動に伴い、差込片１２を差込穴１６に差し込んで封緘する包装箱において、差込片１２に２本の折目線１３を入れ、折目線１３を境界として、差込片１２の中間に指掛部１４を、両側に側折部１５をそれぞれ設け、蓋板９の裏側へ折曲片１０を折り込み、蓋板９と折曲片１０の間に差込穴１６を介して差込片１２を挿入し、指掛部１４の下方に折曲片１０の貫穴１７を位置させ、側折部１５を貫穴１７の両側方で折曲片１０に載せて蓋板９を係止することを特徴とする包装箱。
【請求項２】
請求項１に記載の包装箱において、差込片１２に入れた２本の折目線１３を、差込片１２の先端へかけて間隔が狭くなるように傾斜させたことを特徴とする包装箱。
【請求項３】
請求項１又は２に記載の包装箱において、差込片１２の指掛部１４を側折部１５より先端側へ突出させ、折曲片１０の貫穴１７に臨む受止片１８を設け、指掛部１４の突出部分を受止片１８に載せて蓋板９を係止することを特徴とする包装箱。
【請求項４】
請求項１乃至３のいずれかに記載の包装箱において、周壁の前部上端に連設した前フラップ８を切り込んで差込片１２を形成し、周壁の側部上端から延びる側フラップ７を内側へ折り曲げて、その上に前フラップ８を重ね、前フラップ８の上に蓋板９の折曲片１０を重ねるようにしたことを特徴とする包装箱。
【発明の詳細な説明】
【技術分野】
【０００１】
この発明は、各種商品の包装に使用する厚紙製の包装箱であって、ワンタッチ開封機能を備えたものに関する。
【背景技術】
【０００２】
一般に、家電製品等の包装箱として、図６に示すようなものが多用されている。この包装箱は、周壁５１の後部上端に蓋板５２を開閉自在に連設し、閉じた蓋板５２を二重にロックして封緘できるいわゆるダブルロック機構を備えたものである。
【０００３】
このダブルロック機構として、蓋板５２の先端には折曲片５３が設けられ、周壁５１の前部上端から延びる中蓋５４の基部には差込穴５５が形成されている。
【０００４】
また、周壁５１を前部の上端から切り込んで形成された揺動片５６の先端には差込片５７が設けられ、折曲片５３の基部には蓋板５２へ切れ込む差込穴５８が形成されている。
【０００５】
そして、封緘に際しては、蓋板５２を閉じ、折曲片５３を差込穴５５に差し込み、次いで、揺動片５６の揺動に伴い、差込片５７を差込穴５８に差し込む。このようなダブルロック式の包装箱は、例えば、下記特許文献１に記載されている。
【０００６】
【特許文献１】実公平６−２１８５０号公報
【発明の開示】
【発明が解決しようとする課題】
【０００７】
しかしながら、上記のようなダブルロック式の包装箱では、開封する際、蓋板５２の切込部を介して差込片５７に指を掛け、差込片５７を手前にスライドさせて、差込穴５８から引き出し、次に、折曲片５３を差込穴５５から上方へ引き抜いて、蓋板５２を起こさなければならず、開封に手間がかかるという問題がある。
【０００８】
そこで、この発明は、ワンタッチでロックを解除して開封できる包装箱を提供することを課題とする。
【課題を解決するための手段】
【０００９】
上記課題を解決するため、この発明に係る包装箱は、周壁前部を切り込んで形成した揺動片の差込片に２本の折目線を入れ、折目線を境界として、差込片の中間に指掛部を、両側に側折部をそれぞれ設け、蓋板の裏側へその先端に連設した折曲片を折り込み、蓋板と折曲片の間に差込穴を介して差込片を挿入し、指掛部の下方に折曲片の貫穴を位置させ、側折部を貫穴の両側方で折曲片に載せて蓋板を係止し、指掛部を押すと、側折部が折目線沿いに折れ曲がって、側折部と折曲片との係合が外れ、折曲片の反発で蓋板が自動的に開くようにしたのである。
【００１０】
また、差込片に入れた２本の折目線を、差込片の先端へかけて間隔が狭くなるように傾斜させ、開封時に側折部が折れ曲がりやすくしたのである。
【００１１】
さらに、差込片の指掛部を側折部より先端側へ突出させ、折曲片の貫穴に臨む受止片を設け、指掛部の突出部分を受止片に載せて蓋板を係止して、封緘性を高めると共に、指掛部を押すと、受止片が撓んで、指掛部の突出部分と受止片との係合も外れるようにしたのである。
【００１２】
また、周壁の前部上端に連設した前フラップを切り込んで差込片を形成し、周壁の側部上端から延びる側フラップを内側へ折り曲げて、その上に前フラップを重ね、前フラップの上に蓋板の折曲片を重ね、前フラップに対する折曲片の反発により、蓋板の起立方向への付勢力が強められるようにしたのである。
【発明の効果】
【００１３】
この包装箱では、指掛部を押すだけで、側折部と折曲片との係合が外れ、また、指掛部の突出部分と受止片との係合が外れて、折曲片の反発で蓋板が自動的に開くので、片手で簡単に開封することができ、商品の取出時における煩わしさが解消される。
【発明を実施するための最良の形態】
【００１４】
以下、この発明の実施形態を添付図面に基づいて説明する。
【００１５】
図１に示すように、この包装箱の段ボール製ブランクでは、前板１の両側に側板２が連設され、一方の側板２に後板３及び継代片４が順次連設されている。前板１及び後板３の下端には底板５が、側板２の下端には底板６がそれぞれ連設され、側板２の上端には側フラップ７が、前板１の上端には前フラップ８がそれぞれ連設されている。また、後板３の上端には蓋板９及び折曲片１０が順次連設されている。
【００１６】
前板１には、上端から切り込んで揺動片１１が形成され、その先端には、前フラップ８を切り込んで差込片１２が設けられている。差込片１２には、先端へかけて間隔が狭くなるように傾斜する２本の折目線１３が入れられ、折目線１３を境界として、差込片１２の中間には指掛部１４が、両側には側折部１５がそれぞれ設けられている。指掛部１４の先端は、側折部１５より弧状に突出している。
【００１７】
折曲片１０の基部には、蓋板９へ切れ込む差込穴１６が形成され、差込穴１６は、折曲片１０に設けられた貫穴１７に連通している。貫穴１７には、蓋板９の反対側の端縁から蓋板９へ向けて突出する受止片１８が設けられ、受止片１８の基端には、貫穴１７の端縁から少し切り込まれた位置に幅方向の罫線が入れられている。
【００１８】
このブランクを組み立てて商品を包装するには、図２に示すように、前板１、一対の側板２及び後板３を角筒状に折り曲げ、継代片４を反対側の側板２に貼り付けて周壁を形成し、底板５，６を貼り合わせ、底板５同士を噛み合わせて底面を閉止する。
【００１９】
そして、箱内に商品を収納し、図３に示すように、側フラップ７を内側へ折り曲げ、その上に前フラップ８を重ね、蓋板９の裏側へ折曲片１０を折り込み、前フラップ８の上に折曲片１０を重ねて、蓋板９を閉じ、揺動片１１の揺動に伴い、差込片１２を差込穴１６を介して蓋板９と折曲片１０の間に挿入する。
【００２０】
これにより、側折部１５が貫穴１７の両側方で折曲片１０に載置されると共に、指掛部１４の突出部分が受止片１８に載置されて、蓋板９が閉じた状態で係止されるので、この包装箱は確実に封緘される。
【００２１】
一方、この包装箱を開封する際には、図４に示すように、蓋板９の切込部から露出した差込片１２の指掛部１４を押すと、指掛部１４は下方に位置する貫穴１７に押し込まれ、側折部１５が折目線１３沿いに上方へ折れ曲がって、側折部１５と折曲片１０との係合が外れ、受止片１８が撓んで、指掛部１４の突出部分と受止片１８との係合も外れる。
【００２２】
そして、図５に示すように、折曲片１０の反発で蓋板９が自動的に開く。このとき、前フラップ８に対する折曲片１０の反発により、蓋板９の起立方向への付勢力が強められ、蓋板９は、手で開かなくても、跳ね上るように起立するので、この包装箱は、片手で簡単に開封することができる。
【００２３】
なお、この実施形態では、前フラップ８を側フラップ７の上に重ねたが、前フラップ８を前板１の裏側へ折り込み、折曲片１０を側フラップ７の上に直接重ねるようにしても、折曲片１０の反発により蓋板９が自動的に開く効果を得ることができる。また、前フラップ８を省略しても、同様の効果を得ることができる。
【００２４】
そのほか、この実施形態では、周壁が四角筒のものを例示したが、周壁が六角筒や八角筒等の包装箱においても、前板の上部と蓋板の先端部とを上記のように構成することにより、同様のワンタッチ開封機能を付与することができる。
【図面の簡単な説明】
【００２５】
【図１】この発明の実施形態に係る包装箱のブランクを示す図
【図２】同上の組立過程を示す斜視図
【図３】同上の封緘状態を示す斜視図
【図４】同上の開封過程を示す斜視図
【図５】同上の開封状態を示す斜視図
【図６】従来の包装箱の封緘状態を示す斜視図
【符号の説明】
【００２６】
１  前板
２  側板
３  後板
４  継代片
５  底板
６  底板
７  側フラップ
８  前フラップ
９  蓋板
１０  折曲片
１１  揺動片
１２  差込片
１３  折目線
１４  指掛部
１５  側折部
１６  差込穴
１７  貫穴
１８  受止片
【図１】
0004676326.tif 000002
【図２】
0004676326.tif 000003
【図３】
0004676326.tif 000004
【図４】
0004676326.tif 000005
【図５】
0004676326.tif 000006
【図６】
0004676326.tif 000007